(57)【要約】【課題】記録媒体から他の記録媒体に画像データをコピーする際のサムネイル一覧画面での静止画のサムネイル画像か否かの判断を不要とし、コピーの操作性及び利便性を高める。【解決手段】ＤＶＤ−ＲＡＭ１１には、動画，静止画のＭＰＥＧデータやサムネイルデータ，静止画のＪＰＥＧ圧縮データが記録されており、これとともに、かかるデータの記録位置を管理する管理データが記録されている。ボタン入力部５により、ＤＶＤ−ＲＡＭ１１のＪＰＥＧ圧縮データのメモリカード１８への指令をすると、管理データをもとに、静止画に対するサムネイル静止画データが検索されて読み出され、サムネイル一覧生成部７に供給されて読み出されたサムネイル静止画の一覧が生成される。この一覧が表示部４で表示され、ユーザは、動画，静止画の判断をする必要がなくて、コピーを必要とする静止画のサムネイル画像を選択できる。【選択図】        図１
2004222063.tif 000002
【特許請求の範囲】
【請求項１】
動画及び静止画の映像データ、該動画及び静止画に夫々対応したサムネイルデータ及び該映像データと該サムネイルデータとを関連付ける管理データが記録されている第１の記録媒体が装着され、該管理データに基づいて該第１の記録媒体から該映像データと該サムネイルデータとを再生するための再生処理部と、該再生処理部によって再生された該映像データによって動画や静止画を表示する表示部と、該再生処理部によって再生されたサムネイルデータの一覧を表わすサムネイル一覧画像を生成し該表示部に表示させるサムネイル一覧生成部とを備えたデジタル映像再生装置において、
静止画に対応したサムネイルデータを抽出制御するための静止画サムネイル選択制御部を設け、
該静止画サムネイル選択制御部の制御により、該再生処理部が、該管理データをもとに、該第１の記録媒体から静止画に対応する該サムネイルデータのみを読み出し、サムネイル一覧生成部が該再生処理部によって読み出された静止画に対応する該サムネイルデータのみからなる静止画サムネイル一覧画像を生成して該表示部に表示させることを特徴とするデジタル映像再生装置。
【請求項２】
請求項１記載のデジタル映像再生装置において、
静止画データと管理データとを記録可能な第２の記録媒体が着脱可能に装着され、
該第２の記録媒体に静止画の映像データ及びその管理データを記録するための処理部と、
前記表示部に表示される前記静止画サムネイル一覧画像で選択された静止画の前記サムネイルデータに対応する前記第１の記録媒体での静止画データの該第２の記録媒体へのコピーを指示する操作制御部とを備え、
該装置制御部の該指示により、該処理部が、前記第１の記録媒体に記録されている前記管理データをもとに、コピーを指示された静止画データを前記第１の記録媒体から読み取り、該第２の記録媒体に記録することを特徴とするデジタル映像再生装置。
【請求項３】
請求項２に記載のデジタル映像再生装置において、
前記第１の記録媒体の記録容量は前記第２の記録媒体の記録容量より大きいことを特徴とするデジタル映像記録再生装置。
【請求項４】
請求項２または３に記載のデジタル映像再生装置において、前記第１の記録媒体に記録される動画の映像データは、ＭＰＥＧ規格に準じて圧縮されたＭＰＥＧ動画データであり、前記第１の記録媒体に記録される静止画の映像データは、ＭＰＥＧ規格に準じて圧縮されたＭＰＥＧ静止画データとＪＰＥＧ規格に準じて圧縮されたＪＰＥＧ圧縮データとであって、
前記第２の記録媒体にコピーされるのは、該ＪＰＥＧ圧縮データであることを特徴とするデジタル映像再生装置。
【請求項５】
請求項１〜４のいずれか１つに記載のデジタル映像再生装置と、
入力映像信号をＭＰＥＧ規格に準じて圧縮処理し、ＭＰＥＧデータを生成するＭＰＥＧ圧縮部と、
該入力映像信号からサムネイル画像データを生成するサムネイル生成部と、
該入力映像信号が静止画の映像データであるとき、該入力映像信号をＪＰＥＧ規格に準じて圧縮処理し、ＪＰＥＧ圧縮データを生成するＪＰＥＧ圧縮部と、
該入力映像信号が動画の映像データであるとき、該ＭＰＥＧ圧縮部からのＭＰＥＧ動画データと該サムネイル生成部からのサムネイル動画データとを、これらの管理データとともに、前記第１の記録媒体に記録し、該入力映像信号が静止画の映像データであるとき、該ＭＰＥＧ圧縮部からのＭＰＥＧ静止画データと該サムネイル生成部からのサムネイル静止画データと該ＪＰＥＧ圧縮部からのＪＰＥＧ圧縮データとを、これらの管理データとともに、前記第１の記録媒体に記録することを特徴とするデジタル映像記録再生装置。
【発明の詳細な説明】
【０００１】
【発明の属する技術分野】
本発明は、記録媒体を少なくとも２個備えたデジタル映像再生装置及びデジタル映像記録再生装置に係り、特に、デジタルスチルカメラやデジタルビデオカメラなどの携帯型の装置に用いて好適なデジタル映像再生装置及びデジタル映像記録再生装置に関する。
【０００２】
【従来の技術】
従来のデジタル映像再生装置やデジタル映像記録再生装置としては、２個の記録媒体が設けられ、これら記録媒体間で互いにデータをコピーできるものが増えている。かかる記録媒体の１つにメモリーカードがあって、小型及び持ち運びの利便性から注目を集めており、特に、デジタル映像再生装置やデジタル映像記録再生装置を備えたビデオカメラなどの携帯型の装置では、これを採用するものが増えてきている。かかる携帯型の装置では、かかるメモリーカードとそれ以外の記録媒体とが用いられているが、この記録媒体に記録されている画像データをメモリーカードにコピーし、このメモリカードをパソコンなどの他の装置に用いることにより、このメモリカードにコピーされた画像データを再生することが行なわれている。
【０００３】
以上のような携帯型の装置では、もう一方の記録媒体としては、通常、記録容量の大きな光ディスクなどの記録媒体が使用され、これによって動画や静止画を記録できるようにしている。そして、かかる大容量の記録媒体からかかる画像データを再生またはコピーする場合の利便性を図るために、かかる画像データの代表となる画像（例えば、動画の場合には、その最初の１画像、静止画の場合には、その静止画像自体）の縮小画像（サムネイル画像）の一覧（即ち、サムネイル一覧）を表示する機能が搭載されており、ユーザがサムネイル一覧画面で希望するサムネイル画像を選択し、所定の操作をすると、このサムネイル画像に対応した動画または静止画を簡単に再生またはメモリカードなどにコピーすることができる。
【０００４】
このような装置でのコピー時の利便性に関する従来技術として、小容量のメモリーカードに記録されている動画及び静止画のデータを大容量の光ディスクにコピーするようにした技術を本出願人等が提案した（例えば、特許文献１参照）。
【０００５】
これは、メモリーカードに記録されている動画や静止画に対応したサムネイル一覧を表示し、そこで選択されたサムネイル画像に対応した動画または静止画のデータをメモリカードから読み出して光ディスクにコピーすることができるようにしたものであり、コピー時の利便性に優れている。また、その逆に、光ディスクに記録されている画像データについても、同様にして、サムネイル一覧を表示し、そこで選択されたサムネイル画像に対応する動画もしくは静止画をメモリーカードにコピーできるようにしている。
【０００６】
【特許文献１】
特開平１１−６６７３６号公報
【０００７】
【発明が解決しようとする課題】
ところで、メモリーカードは小型で持ち運びには便利であるが、記録容量が比較的小さいため、動画を記録するには、記録できる容量が限られるため、動画の記録には適しておらず、静止画記録用に使用されることが一般的である。即ち、記録容量の大きな光ディスクなどの記録媒体からメモリーカードへコピーする画像データは静止画データであって、これをパソコンなどの他の装置で再生する用途が一般的である。
【０００８】
しかしながら、動画及び静止画のデータが記録された光ディスクなどの記録媒体からメモリーカードへ静止画をコピーする場合も、サムネイル一覧には、動画のサムネイル画像と静止画のサムネイル画像とが混在して表示される。このために、ユーザは表示されるサムネイル画像のうちでどれが静止画のものであるかを判断せねばならず、操作性に問題があった。また、サムネイル画像には、通常、動画と静止画との区別はなされておらず、このため、サムネイル一覧画面では、動画，静止画のいずれのサムネイル画像であるか、判断しにくいという問題もあった。
【０００９】
本発明の目的は、かかる問題を解消し、記録媒体から他の記録媒体に画像データをコピーする際のサムネイル一覧画面での静止画のサムネイル画像か否かの判断を不要とし、コピーの操作性及び利便性を高めることができるようにしたデジタル映像再生装置及びデジタル映像記録再生装置を提供することにある。
【００１０】
【課題を解決するための手段】
上記目的を達成するために、本発明によるデジタル映像再生装置は、動画及び静止画の映像データとこれら動画及び静止画に夫々対応したサムネイルデータとこれら映像データとサムネイルデータとを関連付ける管理データが記録されている第１の記録媒体が装着されており、管理データに基づいて第１の記録媒体から映像データとサムネイルデータとを再生するための再生処理部と、再生処理部によって再生された映像データによって動画や静止画を表示する表示部と、再生処理部によって再生されたサムネイルデータの一覧を表わすサムネイル一覧画像を生成して表示部に表示させるサムネイル一覧生成部と、静止画に対応したサムネイルデータを抽出制御するための静止画サムネイル選択制御部を設け、静止画サムネイル選択制御部の制御により、再生処理部が、管理データをもとに、第１の記録媒体から静止画に対応するサムネイルデータのみを読み出し、サムネイル一覧生成部が再生処理部によって読み出された静止画に対応するサムネイルデータのみからなる静止画サムネイル一覧画像を生成して表示部に表示させるものである。
【００１１】
また、本発明によるデジタル映像再生装置は、静止画データと管理データとを記録可能な第２の記録媒体が着脱可能に装着され、第２の記録媒体に静止画の映像データ及びその管理データを記録するための処理部と、表示部に表示される静止画サムネイル一覧画像で選択された静止画のサムネイルデータに対応する第１の記録媒体での静止画データの第２の記録媒体へのコピーを指示する操作制御部とを備え、装置制御部のこの指示により、処理部が、第１の記録媒体に記録されている管理データをもとに、コピーを指示された静止画データを第１の記録媒体から読み取り、第２の記録媒体に記録するものである。
【００１２】
さらに、本発明によるデジタル映像再生装置は、第１の記録媒体の記録容量が第２の記録媒体の記録容量より大きいことを特徴とするものである。
【００１３】
さらに、本発明によるデジタル映像再生装置は、第１の記録媒体に記録される動画の映像データは、ＭＰＥＧ規格に準じて圧縮されたＭＰＥＧ動画データであり、第１の記録媒体に記録される静止画の映像データは、ＭＰＥＧ規格に準じて圧縮されたＭＰＥＧ静止画データとＪＰＥＧ規格に準じて圧縮されたＪＰＥＧ圧縮データとであって、第２の記録媒体にコピーされるのは、このＪＰＥＧ圧縮データであるものである。
【００１４】
上記目的を達成するために、本発明によるデジタル映像再生装置は、上記のデジタル映像再生装置と、入力映像信号をＭＰＥＧ規格に準じて圧縮処理し、ＭＰＥＧデータを生成するＭＰＥＧ圧縮部と、入力映像信号からサムネイル画像データを生成するサムネイル生成部と、入力映像信号が静止画の映像データであるとき、入力映像信号をＪＰＥＧ規格に準じて圧縮処理し、ＪＰＥＧ圧縮データを生成するＪＰＥＧ圧縮部と、入力映像信号が動画の映像データであるとき、ＭＰＥＧ圧縮部からのＭＰＥＧ動画データとサムネイル生成部からのサムネイル動画データとを、これらの管理データとともに、第１の記録媒体に記録し、入力映像信号が静止画の映像データであるとき、ＭＰＥＧ圧縮部からのＭＰＥＧ静止画データとサムネイル生成部からのサムネイル静止画データとＪＰＥＧ圧縮部からのＪＰＥＧ圧縮データとを、これらの管理データとともに、第１の記録媒体に記録するものである。
【００１５】
【発明の実施の形態】
以下、本発明の実施形態を図面により説明する。
【００１６】
図１は本発明によるデジタル映像記録再生装置の一実施形態を示すブロック構成図であって、１は再生処理部、２はデジタル映像伸長部、３は映像信号処理部、４は表示部、５はボタン入力部、６は操作制御部、７はサムネイル一覧生成部、８は静止画サムネイル選択制御部、１１はＤＶＤ−ＲＡＭ（Ｄｉｇｉｔａｌ  Ｖｅｒｓａｔｉｌｅ  Ｄｉｓｃ−Ｒａｍｄｏｍ  Ａｃｃｅｓｓ  Ｍｅｍｏｒｙ）、１２は映像信号入力部、１３はデジタル映像信号処理部、１４はＭＰＥＧ映像圧縮部、１５はサムネイル生成部、１６はＪＰＥＧデータ生成部、１７は記録処理部、１８はメモリーカード、１９はコピー作業処理部、２０はＪＰＥＧ記録処理部である。
【００１７】
図１に示すこの実施形態は、ＤＶＤカメラに適用した場合を例としており、記録媒体として、ＤＶＤ−ＲＡＭ１１とメモリカード１８とを備えているものであって、少なくともメモリカード１８は着脱可能である。ここでは、ＤＶＤ−ＲＡＭ１１には、動画及び静止画のデータが記録され、メモリーカード１８には、静止画データが記録されるものとしている。なお、この実施形態は、少なくとも一方の記録媒体（ＤＶＤ−ＲＡＭ）への記録が可能な記録機能を有する、即ち、映像信号入力部１２，デジタル映像信号処理部１３，ＭＰＥＧ映像圧縮部１４，サムネイル生成部１５，ＪＰＥＧ生成部１６及び記録処理部１７を備えたデジタル映像記録再生装置としているが、かかる記録機能を備えていないデジタル映像再生装置であってもよい。記録機能以外は、デジタル映像記録再生装置も、デジタル再生装置も同様である。但し、この場合には、ＤＶＤ−ＲＡＭ１１も、メモリカード１８と同様、必ず着脱可能である。
【００１８】
図１において、ＤＶＤ−ＲＡＭ１１には、ＭＰＥＧ（Ｍｏｖｉｎｇ  Ｐｉｃｔｕｒｅ  Ｅｘｐｅｒｔ  Ｇｒｏｕｐ）規格に準じて圧縮された動画及び静止画のデータ（以下、ＭＰＥＧデータという）が記録される動画・静止画ＭＰＥＧデータ記録領域と、動画及び静止画のデータ夫々毎のサムネイル画像が記録されるサムネイルデータ記録領域と、ＪＰＥＧ（Ｊｏｉｎｔ  Ｐｈｏｔｏｇｒａｐｈｉｃ  Ｅｘｐｅｒｔ  Ｇｒｏｕｐ）規格に準じて圧縮された静止画データ（以下、ＪＰＥＧデータという）が記録されるＪＰＥＧデータ記録領域と、以上の記録領域に記録されたデータの管理データが記録される管理データ記録領域とが設けられている。また、メモリカード１８には、ＪＰＥＧデータが記録されるＪＰＥＧデータ記録領域と、このＪＰＥＧデータ記録領域の管理データが記録される管理データ記録領域とが設けられている。
【００１９】
次に、この実施形態の記録動作について説明する。
【００２０】
撮像部などからなる映像信号入力部１２から入力されたアナログ映像信号は映像信号処理部１３に供給されて、デジタル映像信号に変換されるとともに各種の信号処理がなされる。
【００２１】
入力映像信号が動画データである場合には、映像信号処理部１３からのデジタル映像信号は、ＭＰＥＧ映像圧縮部１４により、ＭＰＥＧ規格に準じた圧縮処理がなされてＭＰＥＧ動画データとなり、記録処理部１７によってＤＶＤ−ＲＡＭ１１の動画・静止画ＭＰＥＧデータ記録領域に記録される。また、このデジタル映像信号はサムネイル生成部１５に供給され、その動画データの代表となる画面の画像（例えば、この動画データの先頭の画面の画像）のデータが圧縮処理されてサムネイルデータ（サムネイル動画データ）が生成される。このサムネイルデータは、記録処理部１７により、ＤＶＤ−ＲＡＭ１１のサムネイルデータ記録領域に記録される。そして、かかるＭＰＥＧ動画データとサムネイル動画データの記録に際しては、記録処理部１７により、これらＭＰＥＧ動画データとサムネイル動画データとのＤＶＤ−ＲＡＭ１１での関連付けをする管理データが生成され、ＤＶＤ−ＲＡＭ１１の管理データ記録領域に記録される。
【００２２】
入力映像信号が静止画データである場合には、映像記録処理部１３からのデジタル映像信号は、動画データの場合と同様に、ＭＰＥＧ映像圧縮部１４でＭＰＥＧ静止画データとなり、また、サムネイル生成部１５に供給されて、その静止画データの画像（静止画像）自体が圧縮処理されてサムネイルデータ（サムネイル静止画データ）が生成され、記録処理部１７により、夫々ＤＶＤ−ＲＡＭ１１の動画・静止画ＭＰＥＧデータ記録領域，サムネイルデータ記録領域に記録される。また、この静止画のデジタル映像信号は、ＪＰＥＧ生成部１６により、ＪＰＥＧ規格に準じた圧縮処理がなされてＪＰＥＧ圧縮データとなり、記録処理部１７により、ＤＶＤ−ＲＡＭ１１のＪＰＥＧデータ記録領域に記録する。また、これとともに、記録処理部１７により、これらＭＰＥＧ静止画データとサムネイル静止画データとＪＰＥＧ圧縮データとのＤＶＤ−ＲＡＭ１１での関連付けをする管理データが生成され、ＤＶＤ−ＲＡＭ１１の管理データ記録領域に記録される。
【００２３】
ＤＶＤ−ＲＡＭ１１の管理データ記録領域に記録される管理データは、図２に示すように、動画，静止画データの記録順序を示す記録順データと、記録されたデータが動画であるか、静止画であるかを示す種別データと、サムネイルデータ記録領域での動画，静止画データの記録開始アドレス（サムネイルアドレス）と、動画・静止画ＭＰＥＧデータ記録領域での動画，静止画データの記録開始アドレス（ＭＰＥＧアドレス）と、ＪＰＥＧデータ記録領域での静止画データの記録開始アドレス（ＪＰＰＥＧアドレス）とからなっている。
【００２４】
この管理データにより、同じ画像データから生成されたサムネイルデータやＭＰＥＧデータ，ＪＰＥＧデータのＤＶＤ−ＲＡＭ１１での記録位置が夫々サムネイルアドレス，ＭＰＥＧアドレス，ＪＰＥＧアドレスによって管理されており、これにより、これらサムネイル画像，ＭＰＥＧデータ，ＪＰＥＧデータが関連付けられている。例えば、記録順“１”である動画データのサムネイル動画データは、そのサムネイルアドレスによると、サムネイルデータ記録領域のアドレス“１００”から記録されており、同じくＭＰＥＧ動画データは、そのＭＰＥＧアドレスによると、動画・静止画ＭＰＥＧデータ記録領域のアドレス“１０００００”から記録されていることになる。動画データの場合には、ＪＰＥＧデータ記録領域は使用されない。静止画データの場合も同様であるが、そのＪＰＥＧ圧縮データもＪＰＥＧデータ記録領域に記録されるから、そのＪＰＥＧアドレスが設定される。
【００２５】
次に、ＤＶＤ−ＲＡＭ１１からのデータの再生について説明する。
【００２６】
図１において、まず、ボタン入力部５から所定の再生操作がなされると、操作制御部６の制御により、再生処理部１がＤＶＤ−ＲＡＭ１１の管理データ記録領域から管理データを読み込み、読み込んだ管理データのサムネイルアドレス（図２）をもとに、ＤＶＤ−ＲＡＭ１１のサムネイルデータ記録領域から全てのサムネイルデータ（サムネイル動画データ及びサムネイル静止画データ）を読み込み、サムネイル一覧生成部７に供給する。サムネイル一覧生成部７では、これらサムネイルデータの一覧、即ち、サムネイル一覧データが生成される。このサムネイル一覧データには、その生成時にカーソルデータも付加されている。このサムネイル一覧データは、映像信号処理部３でデジタル−アナログ変換などの各種処理がなされた後、表示部４に供給され、サムネイル一覧が、図３（ａ）に示すように、表示される。
【００２７】
即ち、かかるサムネイル一覧２２はサムネイル選択画面２１として表示され、このサムネイル一覧２２では、Ｍ１，Ｍ２，……，Ｍ８で表わすサムネイル動画データによるサムネイル動画像２３とＳ１，Ｓ２，……Ｓ８で表わすサムネイル静止画データによるサムネイル静止画像２４とが、管理データでの記録順データ（図２）に従う順序で配列表示されている。
【００２８】
図３（ａ）に示すように、このサムネイル一覧２２では、上記のカーソルデータにより、いずれか１つのサムネイル画像にサムネイル選択用のカーソル２５が重ね合わされて表示されており、このカーソル２５が重なったサムネイル画像は選択された状態にある（ここでは、デフォルトとして、第１番目のサムネイル動画像Ｍ１に一致され、これが選択されている場合を示す）。ボタン入力部５（図１）での図３（ｂ）に示すカーソル上移動ボタン２６，カーソル下移動ボタン２７，カーソル左移動ボタン２８，カーソル右移動ボタン２９（以下、これらをまとめてカーソル移動ボタン２６〜２９という）を操作すると、操作制御部６からサムネイル一覧生成部７にカーソル２５の表示位置変更処理要求が送られ、この要求に応じて、カーソル２５の表示位置変更処理が行なわれる。これにより、このカーソル２５を他のサムネイル画像上に移動させてそれを選択した状態とすることができる。なお、サムネイル一覧生成部７は、カーソル２５の表示位置変更処理後、操作処理部６へ応答を返す。制御処理部６は、サムネイル一覧生成部７から応答が返されることにより、カーソル２５によって選択されているサムネイル画像を、先に取り込んだ管理データでの記録順データにより、認識する。
【００２９】
カーソル２５によって所望とするサムネイル画像が選択された状態で、ボタン入力部５（図１）での図３（ｂ）に示す決定ボタン３０を操作すると、このサムネイル画像の選択が決定（確定）される。このように所望のサムネイル画像の選択が決定されると、図１において、操作制御部６の制御により、再生処理部１はＤＶＤ−ＲＡＭ１１の管理データ記録領域から管理データを読み込み、この管理データと制御処理部６で認識されているカーソル２５で選択決定されたサムネイル画像（記録順データ）をもとに、選択されているサムネイル画像に対応するＭＰＥＧデータ（ＭＰＥＧ動画データもしくはＭＰＥＧ静止画データ）をＤＶＤ−ＲＡＭ１１の動画・静止画ＭＰＥＧデータ記録領域から読み出す。この読み出されたＭＰＥＧデータは、デジタル映像伸長部２で伸長処理され、さらに、映像信号処理部３でデジタル−アナログ変換などの処理がなされた後、表示部４に供給される。これにより、表示部４では、選択されたサムネイル画像に対する動画もしくは静止画が表示されることになる。
【００３０】
なお、図示しないが、ボタン入力部５には、記録ボタンや再生ボタンが設けられ、この記録ボタンを操作することにより、動画データのＤＶＤ−ＲＡＭ１１への記録開始，記録終了を指示することができるし、再生ボタンを操作することにより、表示部４での動画もしくは静止画の再生を停止させることができる。
【００３１】
次に、ＤＶＤ−ＲＡＭ１１からメモリカード１８へＪＰＥＧ圧縮データをコピーするときの動作の概要を説明する。
【００３２】
この場合も、まず、上記の再生の場合と同様にして、表示部４に図４（ａ）に示すサムネイル選択画面２１（図３（ａ）に示すサムネイル選択画面２１と同じ）を表示させる。このサムネイル選択画面２１でのサムネイル一覧２２では、サムネイル動画２３とサムネイル静止画２４とが混在して（即ち、図２に示す管理データでの記録順データに応じた順序で配列されて）表示されている。
【００３３】
かかるサムネイル選択画面２１の表示状態で、ボタン入力部５（図１）での図４（ｄ）に示すメニューボタン３１を操作すると、操作制御部６（図１）の制御により、表示部４に複数のメニュー項目３３からなるメニュー選択画面３２が表示される。ここでは、「静止画コピー」，「削除」，「分割」の３個のメニュー項目３３が表示されているものとしている。また、かかるメニュー項目３３のいずれか１つにメニュー項目選択用のカーソル３３が重ねられており、このカーソル３３が重なったメニュー項目３３は選択された状態にある（ここでは、デフォルトとして、第１番目のメニュー項目「静止画コピー」がカーソル３３によって選択された状態にあるものとしている）。このカーソル３３は、図３におけるカーソル２５と同様、ボタン入力部５（図１）での図４（ｄ）に示すカーソル上移動ボタン２６，カーソル下移動ボタン２７，カーソル左移動ボタン２８，カーソル右移動ボタン２９を操作することにより、他のサムネイル画像に移動してそれを選択させることができる。
【００３４】
メニュー選択画面３２でメニュー項目「静止画コピー」３３をカーソル３３で選択し、ボタン入力部５の図４（ｄ）に示す決定ボタン３０を操作して選択決定をすると、図１において、操作制御部６が静止画サムネイル選択制御部８に静止画サムネイル一覧データの生成を指示する。そこで、静止画サムネイル選択制御部８は、再生処理部１に対して、静止画データに対応したサムネイルデータのみの検出を要求する。
【００３５】
そこで、再生処理部１は、ＤＶＤ−ＲＡＭ１１の管理データ記録領域から管理データを読み込み、読み込んだ管理データでの種別データ（図２）をもとに、ＤＶＤ−ＲＡＭ１１のサムネイルデータ記録領域からサムネイル静止画データのみを読み出し、サムネイル一覧生成部７に供給するとともに、静止画サムネイル選択部８に対して応答を返す。サムネイル一覧生成部７は、再生処理部１から供給されるサムネイル静止画データをもとに、これらサムネイル静止画データによるサムネイル静止画の一覧を表わす静止画サムネイル一覧データを生成する。この静止画サムネイル一覧データには、カーソルデータも付加される。この静止画サムネイル一覧データは、映像信号処理部３でデジタル−アナログ変換などの処理がなされた後、表示部４に供給される。このようにして、表示部４には、図４（ｃ）に示すように、サムネイル静止画２４のみが配列されてなるサムネイル静止画一覧３５を表わす静止画サムネイル選択画面３４が表示される。
【００３６】
このサムネイル一覧３５においても、カーソルデータにより、サムネイル静止画選択用のカーソル２５がサムネイル静止画２４のいずれかと重なって表示されている。図４（ｄ）に示す各移動ボタン２６〜２９を操作すると、この操作に応じたカーソル２５の表示位置変更処理要求が操作処理部６からサムネイル一覧生成部７に送られる。サムネイル一覧生成部７は、この要求に応じて、カーソル２５の表示位置変更処理を行ない、この処理後、操作処理部６へ応答を返す。これにより、図４（ｃ）に示す静止画サムネイル選択画面３４では、移動ボタン２６〜２９の操作に応じた表示位置にカーソル２５が移動し、これによって所望のサムネイル静止画２４を選択した状態とすることができる。なお、制御処理部６は、サムネイル一覧生成部７から応答が返されることにより、カーソル２５によって選択されているサムネイル静止画を、先に取り込んだ管理データでの記録順データにより、認識する。
【００３７】
所望とするサムネイル静止画２４がカーソル２５によって選択され、決定ボタン３０（図４（ｄ））を操作すると、図１において、操作制御部６は、この選択決定されたサムネイル静止画２４の管理データでの認識している記録順データと静止画コピーの処理要求とをコピー作業処理部１９へ送る。コピー作業処理部１９は、この静止画コピー要求を受け取ると、ＤＶＤ−ＲＡＭ１１の管理データ記録領域から管理データを読み取り、この管理データと記録順データとに基づいて、ＤＶＤ−ＲＡＭ１１のＪＰＥＧデータ記録領域から該当するＪＰＥＧ圧縮データを読み込み、ＪＰＥＧ記録処理部２０に供給する。ＪＰＥＧ記録処理部２０は、この供給されたＪＰＥＧ圧縮データをメモリカード１８のＪＰＥＧデータ記録領域に記録するとともに、このＪＰＥＧ圧縮データのこのＪＰＥＧデータ記録領域での記録位置などを示す管理データを作成し、これをメモリカード１８の管理データ記録領域に記録する。このようにして、ＤＶＤ−ＲＡＭ１１からメモリカード１８へのＪＰＥＧデータのコピー，記録が行なわれる。
【００３８】
ここで、図４（ｂ）に示すメニュー選択画面３２が表示されてからＤＶＤ−ＲＡＭ１１に記録されているＪＰＥＧデータをメモリカード１８にコピーするまでの上記の操作の手順及びこれに伴う処理を説明する。図５はかかる操作手順及び処理の流れの一具体例を示すフローチャートである。
【００３９】
同図において、図４（ｂ）に示すメニュー選択画面３２が表示されている状態で、ボタン入力部５（図１）が操作されると（ステップＳ１）、この操作がメニュー項目「静止画コピー」３３が選択された操作であるか否か判定される（ステップＳ２）。これは、カーソル３３がこのメニュー項目「静止画コピー」３３に合わされたか否かによって判定される。メニュー項目「静止画コピー」３３が選択されたものでないときには、他の機能選択画面の処理へと移る（ステップＳ３）。
【００４０】
メニュー項目「静止画コピー」が選択された場合には、ＤＶＤ−ＲＡＭ１１の管理データをもとに、そのサムネイルデータ記録領域からサムネイル静止画データのみを読み取り、これらデータの一覧を作成して図４（ｃ）に示す静止画サムネイル選択画面３４を表示させる（ステップＳ４）。そして、ボタン入力部５での次のボタン操作を待ち（ステップＳ５，Ｓ１１，Ｓ１３）、ボタン操作がなされてこれが決定ボタン３０（図４（ｄ））の操作であるときには（ステップＳ６）、この静止画サムネイル選択画面３４で選択されているサムネイル静止画に関連するＪＰＥＧ圧縮データを、ＤＶＤ−ＲＡＭ１１の管理データをもとに、ＤＶＤ−ＲＡＭ１１のＪＰＥＧデータ記録領域から抽出して読み出し（ステップＳ７）、この読み出したＪＰＥＧ圧縮データをメモリカード１８の記録形式にフォーマット変換し（ステップＳ８）、メモリカード１８のＪＰＥＧデータ記録領域に記録する（ステップＳ９）。そして、ボタン入力部５の次のボタン操作待ちとなる（ステップＳ５）。
【００４１】
また、図４（ｃ）に示す静止画サムネイル選択画面３４の表示状態でカーソル移動ボタン２６〜２９（図４（ｄ））が操作されると（ステップＳ６，Ｓ１１）、カーソル２５をその操作に応じた方向，量だけ移動させて他のサムネイル静止画２４の選択状態とし（ステップＳ１２）、次のボタン入力部５のボタン操作を待つ（ステップＳ５，Ｓ１１，Ｓ１３）。従って、カーソル移動ボタン２６〜２９が操作されると、その都度ステップＳ５，Ｓ６，Ｓ１１，Ｓ１２の一連の処理が繰り返し行なわれ、静止画サムネイル選択画面３４上でカーソル２５が次のサムネイル静止画２４へと順次移っていく。
【００４２】
また、図４（ｃ）に示す静止画サムネイル選択画面３４の表示状態でメニューボタン３１（図４（ｄ））が操作されると（ステップＳ１３）、図４（ｂ）に示すメニュー選択画面３２の表示状態に戻り（ステップＳ１４）、ボタン入力部５のボタン操作によっていずれかのメニュー項目３３が選択されるまで待機する（ステップＳ１５）。そして、そのメニュー選択画面３２の図示しないメニュー項目「終了」が選択決定されたときには（ステップＳ１６）、図４（ａ）に示すサムネイル選択画面２１の表示状態に戻るが（ステップＳ１７）、それ以外のメニュー項目３３が選択されると（ステップＳ１６）、ステップＳ２からの処理に戻る。
【００４３】
ここで、メモリカード１８は、この実施形態のディジタル映像記録再生装置で着脱可能であり、ＤＶＤ−ＲＡＭ１１からＪＰＥＧ圧縮データがコピーされたメモリカード１８をパソコンなどの他の装置に装着し、このＪＰＥＧ圧縮データを再生するようにすることもできる。
【００４４】
以上のように、本発明の一実施形態について説明したが、本発明はかかる実施形態にのみ限定されるものではない。
【００４５】
即ち、メモリカード１８のＪＰＥＧ再生処理部を設け、このメモリカード１８からＪＰＥＧ圧縮データを読み出し可能とし、読み出されたＪＰＥＧ圧縮データをもとの静止画データに復元して、例えば、ＭＰＥＧ映像圧縮部１４，サムネイル生成部１５，ＪＰＥＧ生成部１６に供給することにより、ＤＶＤ−ＲＡＭ１１に記録するようにしてもよい。この場合、メモリカード１８に、このＪＰＥＧデータ記録領域に記録されるＪＰＥＧ圧縮データのサムネイル静止画データも記録することにより、メモリカード１８のサムネイル静止画データから直接そのサムネイル一覧を作成して表示部４で表示させ、また、サムネイル一覧で選択されたサムネイル静止画のＪＰＥＧ圧縮データを読み出して表示部１４で表示させるようにすることもできる。
【００４６】
また、上記実施形態では、図４（ｃ）に示す静止画サムネイル選択画面３４で希望のサムネイル静止画２４を選択した後、決定ボタン３１を押下することにより、これをメモリカード１８にコピーするものであって、コピーする静止画データ毎にボタン入力部５でかかる操作を行なうものであったが、例えば、決定ボタン３１を１回操作しただけでは、サムネイル静止画２４の選択決定はなされるが、コピーの指令はなされず、この決定ボタン３１を２回続けて操作することにより、コピー指令がなされるように構成することにより、複数個のサムネイル静止画２４を選択してからコピーを開始するようにしてもよい。
【００４７】
また、上記実施形態では、動画及び静止画のサムネイル画像が混在したサムネイル選択画面（図４（ａ））が表示された後、メニューボタン３０を操作してメニュー選択画面３２が表示され、しかる後、カーソル移動ボタン２６〜２９と決定ボタン３０との操作により、メモリカード１８へのコピーなどのための静止画サムネイル選択画面３４が表示されるようにしたが、例えば、ボタン入力部５に静止画サムネイル呼出しボタンなどといったものを設け、サムネイル選択画面２１が表示されている状態であっても、あるいはその前であっても、この呼出しボタンを操作することにより、直ちに静止画サムネイル選択画面３４が表示されるようにしてもよい。
【００４８】
また、上記実施形態では、静止画をメモリーカード１８にコピーするものとしたが、本発明は、サムネイル一覧の表示機能があるが、記録機能がないデジタル映像再生装置であって、サムネイルとしては、サムネイル静止画だけを一覧表示するようにしてもよい。
【００４９】
また、上記実施形態では、メモリカード１８はＤＶＤ−ＲＡＭに白くされているＪＰＥＧ圧縮データをコピーだけのものとしたが、ＪＰＥＧ生成部１６で生成された静止画のＪＰＥＧ圧縮データを直接記録できるようにしてもよい。
【００５０】
また、上記実施形態では、記録媒体として、ＤＶＤ−ＲＡＭとメモリカードとを用いたが、他の光ディスクやカード上記録媒体を用いてもよい。
【００５１】
また、上記実施形態では、ＤＶＤ−ＲＡＭとメモリカードとの２個の記録媒体を備えたものとしたが、例えば、ＤＶＤ−ＲＡＭを２個以上設けて映像データの記録容量をさらに高めるようにしてもよいし、あるいはまた、メモリカードを２個以上装着できるようにしてもよい。ＤＶＤ−ＲＡＭを２個以上設けた場合には、その全体を１つの大きな容量の記録媒体として、上記のように取り扱うことができるし、メモリカードを２個以上装着可能とした場合でも、より多くの静止画のコピーが可能である。
【００５２】
【発明の効果】
以上説明したように、本発明によれば、動画及び静止画が混在して記録されている記録媒体から静止画のみを他の記録媒体にコピーする際に、静止画に対応したサムネイル画像のみを一覧表示することできて、一覧表示でのサムネイル画像が動画に対するものか、静止画に対するものかを判断する手間を省くことができ、コピー操作が容易となって大幅操作性が向上し、利便性が高まる。
【図面の簡単な説明】
【図１】本発明によるデジタル映像記録再生装置の一実施形態を示すブロック構成図である。
【図２】図１におけるＤＶＤ−ＲＡＭに記録されている管理データの一具体例を摸式的に示す図である。
【図３】図１におけるＤＶＤ−ＲＡＭに記録されたＭＰＥＧ画像を再生するに際し、再生するＭＰＥＧ画像を選択するためのサムネイル選択画面の一具体例を示す図である。
【図４】図１におけるＤＶＤ−ＲＡＭに記録されている静止画のＪＰＥＧ圧縮データをメモリカードにコピーするために行なわれる操作のための表示画面の一具体例を示す図である。
【図５】図１におけるＤＶＤ−ＲＡＭに記録されている静止画のＪＰＥＧ圧縮データをメモリカードにコピーするために行なわれる操作の手順と処理の流れの一具体例を示すフローチャートである。
【符号の説明】
１  再生処理部
２  デジタル映像伸長部
３  映像信号処理部
４  表示部
５  ボタン入力部
６  操作制御部
７  サムネイル一覧生成部
８  静止画サムネイル選択制御部
１１  ＤＶＤ−ＲＡＭ
１２  映像信号入力部
１３  デジタル映像信号処理部
１４  ＭＰＥＧ映像圧縮部
１５  サムネイル生成部
１６  ＪＰＥＧ生成部
１７  記録処理部
１８  メモリーカード
１９  コピー作業処理部
２０  ＪＰＥＧ記録処理部
２１  サムネイル選択画面
２２  サムネイル一覧
２３  サムネイル動画
２４  サムネイル静止画
２５  カーソル
２６〜２９  カーソル移動ボタン
３０  決定ボタン
３１  メニューボタン
３２  メニュー選択画面
３３  メニュー項目
３４  静止画サムネイル選択画面
３５  サムネイル静止画一覧
【図１】
2004222063.tif 000003
【図２】
2004222063.tif 000004
【図３】
2004222063.tif 000005
【図４】
2004222063.tif 000006
【図５】
2004222063.tif 000007